(57)【要約】【課題】ユーザが情報入手のための操作を行わなくてもユーザの嗜好に適したコンテンツを提示できる情報端末を提供する。【解決手段】属性情報抽出部１０２は、ユーザがウェブ等でのコンテンツ閲覧を行った際に閲覧したコンテンツに付随する属性情報を抽出する。履歴情報処理部１０５は、ウェブ等でのコンテンツ閲覧に伴う履歴情報を情報記憶部１０４に記録する。ユーザ情報生成部１０３は、履歴情報に含まれる属性情報に基づいてユーザ嗜好情報を生成する。アクセス判定処理部１０６は、ユーザ嗜好情報が更新されたか判定する。ユーザ嗜好情報が更新された場合、更新されたユーザ嗜好情報を情報送受信部１０１を介して情報配信サーバへ送信する。これにより、情報配信サーバからユーザ嗜好に関連するコンテンツの配信を受けることができる。【選択図】図１
2006202101.tif 000002
【特許請求の範囲】
【請求項１】
閲覧したコンテンツに付随する属性情報を抽出する属性情報抽出部と、
コンテンツ閲覧に伴う履歴情報を記録する履歴情報処理部と、
前記履歴情報に含まれる前記属性情報に基づいてユーザ嗜好情報を生成するユーザ情報生成部と、
前記ユーザ嗜好情報を情報配信サーバへ送信するか否かの判定条件であるアクセス条件情報を記憶する情報記憶部と、
前記アクセス条件情報の条件成立の判定を行うアクセス判定処理部と、
前記アクセス条件情報の判定条件が成立した際に前記ユーザ嗜好情報を情報配信サーバへ送信する情報送信部と、
を備える情報端末。
【請求項２】
請求項１記載の情報端末であって、
前記アクセス条件情報は、前記ユーザ嗜好情報の更新をもって条件が成立する条件情報である情報端末。
【請求項３】
１以上のユーザのユーザ嗜好情報と１以上のコンテンツとを記憶する情報記憶部と、
前記ユーザ嗜好情報が更新されたことの通知情報を受信し、前記情報記憶部に記憶する前記ユーザ嗜好情報を更新するユーザ情報処理部と、
前記情報記憶部に記憶するコンテンツの中から、更新された前記ユーザ嗜好情報に適合するコンテンツを抽出する情報検索部と、
抽出されたコンテンツを前記通知情報の送信元に送信する情報送信部と、
を備える情報配信サーバ。
【請求項４】
請求項３記載の情報配信サーバであって、
前記情報記憶部に記憶する前記ユーザ嗜好情報は、ユーザが嗜好するカテゴリとカテゴリの優先度とを含む情報であり、前記情報検索部は前記ユーザが嗜好するカテゴリと前記カテゴリの優先度とに基づいてコンテンツを検索する情報配信サーバ。
【請求項５】
情報受信者の嗜好に適するコンテンツを配信する情報配信方法であって、
情報端末は、情報受信者の嗜好が更新された際に情報配信サーバにユーザ嗜好情報を送信し、
前記情報配信サーバは、前記情報端末から送信された前記ユーザ嗜好情報を受信すると、前記ユーザ嗜好情報に関連するコンテンツを前記情報端末へ配信する情報配信方法。
【請求項６】
請求項５記載の情報配信方法であって、
前記ユーザ嗜好情報は、ユーザが嗜好するカテゴリとカテゴリの優先度とを含む情報である情報配信方法。
【発明の詳細な説明】
【技術分野】
【０００１】
本発明は、ユーザの嗜好に適するコンテンツを提示する情報端末、情報配信サーバ及び情報配信方法に関する。
【背景技術】
【０００２】
ユーザの現時刻での要求に応じて、ユーザの状況や嗜好に適した情報を、ユーザの携帯端末に配信できるようにした情報配信システムがある。この配信システムは、情報提供者がユーザに提供することを希望する情報である提供情報を記憶する情報記憶手段と、ユーザが使用する携帯端末から通信ネットワークを介してユーザが配信を要求する情報の分類を示す分類情報を受信する分類情報受信手段と、分類情報に適合する提供情報を情報記憶手段から絞り込む情報絞込手段と、情報絞込手段によって絞り込まれた提供情報を対象として、情報提供者が提供情報の配信に関して希望する条件である配信希望条件と提供情報を配信するか否か決定する条件である配信決定条件とを比較し、配信決定条件に配信希望条件が適合する提供情報を適合提供情報として抽出する情報抽出手段と、情報抽出手段によって抽出された適合提供情報を通信ネットワークを介して携帯端末に送信する情報送信手段とを備えている。配信希望条件は、情報提供者が配信を希望する時間と、情報提供者が配信を希望する地域と、配信する情報の種類とを含み、配信決定条件は、現時刻の時間と、携帯端末の位置と、携帯端末のユーザが好む情報の種類に関する情報を含み、情報抽出手段は、情報提供者が配信を希望する時間と現時刻の時間との比較、情報提供者が配信を希望する地域と携帯端末の位置との比較、または配信する情報の種類と携帯端末のユーザが好む情報の種類との比較のうち、少なくとも１つの比較の結果によって配信決定条件に配信希望条件が適合するか否かを判定する（特許文献１参照）。
【０００３】
【特許文献１】特開２００４−１９２２８４号公報
【発明の開示】
【発明が解決しようとする課題】
【０００４】
上記の情報配信システムにおいて、ユーザは、配信を要求する情報の分類を示す分類情報を設定するための操作を携帯端末で行って、設定した分類情報を情報配信システムに送信する必要がある。このため、情報入手に伴う操作に煩わしさが残るとともに、ユーザ嗜好の変化に対応することができない。
【０００５】
本発明は、上記の事情に鑑みてなされたもので、ユーザが情報入手のための操作を行わなくてもユーザの嗜好に適したコンテンツを提示することができる情報端末、情報配信サーバ及び情報配信方法を提供することを目的とする。
【課題を解決するための手段】
【０００６】
本発明に係る情報端末は、閲覧したコンテンツに付随する属性情報を抽出する属性情報抽出部と、コンテンツ閲覧に伴う履歴情報を記録する履歴情報処理部と、前記履歴情報に含まれる前記属性情報に基づいてユーザ嗜好情報を生成するユーザ情報生成部と、前記ユーザ嗜好情報を情報配信サーバへ送信するか否かの判定条件であるアクセス条件情報を記憶する情報記憶部と、前記アクセス条件情報の条件成立の判定を行うアクセス判定処理部と、前記アクセス条件情報の判定条件が成立した際に前記ユーザ嗜好情報を情報配信サーバへ送信する情報送信部と、を備える。
【０００７】
これにより、ユーザがウェブ等でコンテンツを閲覧した際にコンテンツに付随する属性情報を含む閲覧履歴が作成され、その閲覧履歴に含まれる属性情報に基づいてユーザ嗜好情報が生成され、例えばユーザ嗜好情報の更新等のアクセス条件が成立したときにユーザ嗜好情報が情報配信サーバへ送信される。したがって、ユーザはユーザ嗜好情報を設定するための操作や設定したユーザ嗜好情報を情報配信サーバや送信するための操作を行わなくても、ユーザ嗜好情報が生成され、生成されたユーザ嗜好情報が情報配信サーバへ送信される。よって、ユーザが情報入手のための操作を行わなくても、ユーザ嗜好情報に関連するコンテンツを情報配信サーバから受け取ることができる。
【０００８】
また、上記の情報端末であって、前記アクセス条件情報は、前記ユーザ嗜好情報の更新をもって条件が成立する条件情報である。
【０００９】
これにより、ユーザ嗜好情報が更新されるたびに更新されたユーザ嗜好情報が情報配信サーバへ送信され、更新されたユーザ嗜好情報に関連するコンテンツを情報配信サーバから受け取ることができる。
【００１０】
本発明に係る情報配信サーバは、１以上のユーザのユーザ嗜好情報と１以上のコンテンツとを記憶する情報記憶部と、前記ユーザ嗜好情報が更新されたことの通知情報を受信し、前記情報記憶部に記憶する前記ユーザ嗜好情報を更新するユーザ情報処理部と、前記情報記憶部に記憶するコンテンツの中から更新された前記ユーザ嗜好情報に適合するコンテンツを抽出する情報検索部と、抽出されたコンテンツを前記通知情報の送信元に送信する情報送信部と、を備える。
【００１１】
これにより、ユーザ嗜好情報が更新されたことの通知情報を受信すると、情報記憶部に記憶するユーザ嗜好情報を更新し、更新されたユーザ嗜好情報に適合するコンテンツを抽出し、抽出したコンテンツを通知情報の送信元に送信する。
【００１２】
上記の情報配信サーバであって、前記情報記憶部に記憶する前記ユーザ嗜好情報は、ユーザが嗜好するカテゴリとカテゴリの優先度とを含む情報であり、前記情報検索部は前記ユーザが嗜好するカテゴリと前記カテゴリの優先度とに基づいてコンテンツを検索する。
【００１３】
これにより、ユーザの嗜好に適したコンテンツを提供できる。
【００１４】
本発明に係る情報配信方法は、情報受信者の嗜好に適するコンテンツを配信する情報配信方法であって、情報端末は、情報受信者の嗜好が更新された際に情報配信サーバにユーザ嗜好情報を送信し、前記情報配信サーバは、前記情報端末から送信された前記ユーザ嗜好情報を受信すると、前記ユーザ嗜好情報に関連するコンテンツを前記情報端末へ配信する。
【００１５】
これにより、情報受信者は情報入手のための操作を行わなくても、ユーザ嗜好情報に関連するコンテンツの配信を受けることができる。
【００１６】
上記の情報配信方法であって、前記ユーザ嗜好情報は、ユーザが嗜好するカテゴリとカテゴリの優先度とを含む情報である。
【００１７】
これにより、ユーザの嗜好に適したコンテンツを提供できる。
【発明の効果】
【００１８】
本発明によれば、ユーザが情報入手のための操作を行わなくてもユーザの嗜好に適したコンテンツを提示することができる。
【発明を実施するための最良の形態】
【００１９】
本発明の実施の形態について図面を参照して詳細に説明する。
【００２０】
本発明の骨子は、情報配信サーバへのユーザ情報登録及び更新を、情報配信サーバへアクセスするか否かの判定条件の成立をもって行い、情報配信サーバは登録されるユーザ情報を参照して、ユーザに適したコンテンツを配信するように構成したものである。
【００２１】
（実施の形態）
図１〜図９は実施の形態を説明する図である。はじめに、図３を用いて、情報提供システムの構成について説明する。
【００２２】
情報提供システム３５０は、図３に示すように、データを送信する情報配信サーバ３００と、携帯電話機、ＰＤＡ（Personal Digital Assistant）等の複数の情報端末３０１〜３０３と、情報配信サーバ３００にインターネット３３０を経由してコンテンツを提供する複数の情報提供サーバ３１１〜３１３と、情報配信サーバ３００からのデータをコアネットワーク３２０を経由して受信し、このデータを情報端末３０１〜３０３に送信する基地局３２１〜３２３とを備えて構築されている。また、情報配信サーバ３００は、情報端末３０１〜３０３から送信される情報を受信する機能を備えている。ここで、情報端末３０１〜３０３、情報提供サーバ３１１〜３１３、基地局３２１〜３２３のそれぞれの数は、特に限定されるものではない。
【００２３】
次に、図１を用いて、情報端末３０１〜３０３の構成について説明する。図１は、情報端末のブロック図である。情報端末３０１〜３０３は、情報送受信部１０１と、属性情報抽出部１０２と、ユーザ情報生成部１０３と、情報記憶部１０４と、履歴情報処理部１０５と、アクセス判定処理部１０６とを備えている。また、情報端末３０１〜３０３は、図示しない入力操作部、図示しない表示部及び図示しない入出力制御部等を備えている。情報端末３０１〜３０３は、インターネット等のネットワーク上のＷｅｂ（ウェブ）サイト等を閲覧する機能、情報配信サーバ３００へ情報を送信する機能、及び、情報配信サーバから情報を受信する機能を有する。
【００２４】
情報送受信部１０１は、情報の送信及び受信を行う。属性情報抽出部１０２は、閲覧等を行ったコンテンツに付随するカテゴリ情報等の属性情報を抽出する機能を有する。ユーザ情報生成部１０３は、現在のユーザ状況やユーザ嗜好であるユーザ特性情報を生成する機能を有する。情報記憶部１０４は、取得したコンテンツと、履歴情報、ユーザ特性情報等のユーザ情報と、情報配信サーバへ情報送信を行うか否かの判定条件であるアクセス条件情報とを記憶する。例えば、情報配信サーバから指定される、情報端末内のユーザ情報の更新をもって判定条件の成立とする。履歴情報処理部１０５は、履歴情報の生成、記録を行う機能を有する。アクセス判定処理部１０６は、アクセス条件が成立するか否かを判定する処理部である。
【００２５】
次に、情報端末でのユーザ情報更新時の処理フローを図２を用いて説明する。
【００２６】
ここで、情報端末３０１〜３０３は、ユーザ情報としてのユーザ嗜好情報として、図９（ａ）に示すユーザ嗜好情報を記憶している。図９（ａ）は、情報記憶部１０４が記憶するユーザ嗜好情報であり、カテゴリ情報と各カテゴリに対するユーザの興味度を示す優先度情報とで構成され、「芸能」が最も優先度が高いカテゴリであることが示される。
【００２７】
また、情報記憶部１０４は、情報端末の使用者に関する情報として、ユーザ識別情報「ＡＡＡ」を記憶している。さらに、情報記憶部１０４は、アクセス条件情報を記憶しており、そのアクセス条件情報は、ユーザ嗜好情報が更新された時に情報配信サーバ３００に、更新情報を通知することを示す。
【００２８】
ステップＳ２０１において、ユーザがＷｅｂでのコンテンツ閲覧を行う際に、属性情報抽出部１０２は、そのコンテンツに付随する属性情報であるカテゴリ情報を、コンテンツを閲覧する度に、その都度、抽出する。また、履歴情報処理部１０５は、閲覧記録を情報記憶部１０４に保存する。
【００２９】
ステップＳ２０２において、ユーザ情報生成部１０３は、ステップＳ２０１にて抽出されたカテゴリ情報を含む閲覧記録を参照してユーザ嗜好情報を生成する。具体的には、閲覧記録されたカテゴリ情報の回数に基づきユーザ嗜好の優先度付けを行う。その際、現在の時刻より予め取り決めた時間以内に閲覧されたコンテンツに、より高い重み付けを行いながら優先度付けを行う。ここでは、「スポーツ」に関するコンテンツを重点的に閲覧しており、予め取り決めた時間内に閲覧しているので、「スポーツ」に関する重要度が増加する。その結果、ユーザ嗜好としてのカテゴリ情報の優先度に変化が生ずる。更新されたユーザ嗜好情報を図９（ｂ）に示す。カテゴリ情報の優先度が「スポーツ」、「芸能」の順であることが示される。
【００３０】
ステップＳ２０３において、アクセス判定処理部１０６は、情報配信サーバ３００へユーザ情報の送信を行うか否かを判定する。ステップＳ２０４において、アクセス判定処理部１０６は、情報配信サーバへのアクセス判定条件であるユーザ嗜好情報の変化が生じたので、アクセス条件が成立したと判定する。ステップＳ２０５において、情報送受信部１０１は、更新されたユーザ嗜好情報を情報配信サーバ３００に送信する。情報配信サーバ３００では登録されるユーザ嗜好情報の更新が行われる。
【００３１】
情報端末３０１〜３０３から情報配信サーバ３００へ送信される更新情報メッセージの例を図８に示す。図８は、情報配信サーバ３００へ登録するユーザ情報を通知するメッセージであり、情報配信サーバ３００を示す情報配信先のアドレス情報８１０と、更新情報であるユーザ情報８２０とを含み構成される。ユーザ情報８２０は、ユーザ識別情報８３１と、ユーザ嗜好情報８３２とから構成される。ユーザ識別情報８３１「ｕｓｅｒＩＤ」は「ＡＡＡ」であることを示す。ユーザ嗜好情報８３２は、カテゴリ情報に関するユーザ嗜好情報であり、そのユーザ嗜好の優先順位は、「スポーツ」、「芸能」の順であることを示す。
【００３２】
次に、図４を用いて、情報配信サーバ３００の構成について説明する。情報配信サーバ３００は、配信要求受付部４０１と、情報記憶部４０２と、情報検索部４０３と、情報送信部４０４と、ユーザ情報処理部４０５とを備えている。
【００３３】
配信要求受付部４０１は、情報提供サーバ３１１〜３１３からのコンテンツ配信要求を受信し、要求受付処理を行う。情報記憶部４０２は、配信要望のあるコンテンツ、及びコンテンツの配信先となる情報端末の使用者（ユーザ）に関する情報を記憶する。情報検索部４０３は、配信を希望されたコンテンツに対して、適切な情報配信先のユーザを抽出する検索機能と、情報記憶部４０２に記憶するユーザ嗜好情報等のユーザ情報に基づいて、適切なコンテンツを抽出する検索機能とを有する。情報送信部４０４は、情報検索部４０３により抽出されたユーザが使用する情報端末宛てにコンテンツを配信する機能を有する。ユーザ情報処理部４０５は、情報端末３０１〜３０３からのユーザ情報登録要求や更新要求を受信し、情報記憶部４０２に記憶するユーザ情報を登録または更新する機能を有する。
【００３４】
次に、ユーザ嗜好情報の更新要求を通知された情報配信サーバ３００での動作を図５の処理フローを用いて説明する。
【００３５】
ここで、情報配信サーバ３００には、図７（ａ）に示すユーザ情報が登録されている。図７（ａ）は情報記憶部４０２が記憶するユーザ情報であり、ユーザ識別情報と嗜好情報としてのカテゴリ情報との組で構成される。ユーザ識別情報「ＡＡＡ」、「ＢＢＢ」及び「ＣＣＣ」で識別される３人のユーザ情報が登録されており、各ユーザの嗜好情報は、それぞれ、「芸能」、「芸能」及び「経済」であることが示される。
【００３６】
また、情報配信サーバ３００は、情報提供サーバ３１１〜３１３から受信した配信希望のコンテンツとして、図６に示すコンテンツ登録情報を有する３つのコンテンツが登録されている。登録されている各コンテンツは、図６に示すように、それぞれ、コンテンツ識別情報と、属性情報としてのカテゴリ情報とを含み登録されている。
【００３７】
ステップＳ５０１において、情報配信サーバ３００のユーザ情報処理部４０５は、情報端末３０１〜３０３のいずれかから、ユーザ情報の登録要求情報を受信する。ここでは、情報端末３０１から図８に示すユーザ情報を受信するものとする。ユーザ情報処理部４０５は、図８に示す受信情報を解析し、ユーザ識別情報８３１及びユーザ嗜好情報８３２を抽出する。
【００３８】
ステップＳ５０２において、ユーザ情報処理部４０５は、ステップＳ５０１において抽出したユーザ識別情報８３１及びユーザ嗜好情報８３２を情報記憶部４０２に保存する。
【００３９】
図７（ｂ）に、情報記憶部４０２に記憶するユーザ情報を示す。ユーザ識別情報「ＡＡＡ」にて識別されるユーザに関する情報が更新されており、嗜好情報として、最も優先度の高いカテゴリ情報を「スポーツ」、次に、「芸能」であることが示される。
【００４０】
ステップＳ５０３において、情報検索部４０３は、情報記憶部４０２に記憶するユーザ情報が更新されたので、更新されたユーザ情報であるユーザ嗜好情報に基づき、適応するコンテンツを検索する。
【００４１】
ステップＳ５０４において、情報検索部４０３は、ユーザ識別情報「ＡＡＡ」にて識別されるユーザに関して、最も優先順位が高いユーザ嗜好情報である「スポーツ」に関する情報を検索し、そのユーザ嗜好情報に対応するカテゴリ情報が「スポーツ」である属性情報を持つコンテンツ識別情報「１１１１」で識別されるコンテンツを情報記憶部４０２に記憶するコンテンツから抽出する。
【００４２】
なお、カテゴリ情報が「スポーツ」であるコンテンツがない場合は、次に優先されるカテゴリ情報が「芸能」であるコンテンツを抽出するようにすれば良い。また、抽出するコンテンツは、一つのコンテンツと限らず、複数のコンテンツを抽出するようにしても良い。
【００４３】
ステップＳ５０５において、情報送信部４０４は、ステップＳ５０４において抽出されたコンテンツ識別情報「１１１１」で識別されるコンテンツを情報端末３０１に送信する。
【００４４】
このように、本実施の形態によれば、情報端末に記憶する最新のユーザ情報を用いることにより、ユーザ情報、状況に応じて、ユーザが所望するコンテンツを、ユーザに負荷を与えずとも、機敏に提供することが可能となる。
【００４５】
なお、本実施の形態において、ユーザ識別情報と、そのユーザ識別情報で識別されるユーザが使用する情報端末とは、情報配信サーバ３００が、別途記憶するユーザ情報により、一対一に対応付けられているものとする。
【００４６】
なお、本実施の形態では、情報配信サーバへ通知するユーザ情報として、カテゴリ情報に対する嗜好の優先度を用いる例を示したが、これに限らず、カテゴリ情報に対するそれぞれの評価値を用いても良い。これにより、情報提供者は、評価値の変化率を利用する等して情報提供することが可能となり、ユーザ嗜好の変化傾向を考慮して情報を提供することが可能となる。
【００４７】
また、情報端末から情報配信サーバへ通知するユーザ情報として、配信を必要としないカテゴリ情報を通知するようにしても良い。
【００４８】
なお、アクセス条件情報は、情報配信サーバ３００から情報端末３０１〜３０３に対して、事前に提供するようにすることが望ましい。例えば、情報配信サーバ３００は、情報提供サービスの提供のお知らせ情報を同報送信すると共に、アクセス条件情報を提供するようにしても良い。または、情報端末３０１〜３０３からの情報配信サーバ３００へのサービス提供開始要求に応じて、アクセス条件情報を提供するようにしても良い。
【産業上の利用可能性】
【００４９】
本発明によれば、ユーザが情報入手のための操作を行わなくてもユーザの嗜好に適したコンテンツを提示することができるという効果を有し、携帯電話機、携帯情報端末、ノート型パーソナルコンピュータ、無線ＬＡＮや有線ＬＡＮにより構築されたネットワーク上のパーソナルコンピュータ等の情報端末、情報配信サーバ、及び情報配信方法に有用である。
【図面の簡単な説明】
【００５０】
【図１】本発明の実施の形態の情報端末を示すブロック図
【図２】本発明の実施の形態の情報端末におけるユーザ情報生成時の処理方法を説明するためのフローチャート
【図３】本発明の実施の形態の情報提供システムの構成を示す図
【図４】本発明の実施の形態の情報配信サーバの構成を示すブロック図
【図５】本発明の実施の形態の情報配信サーバにおけるユーザ情報更新処理を説明するためのフローチャート
【図６】本発明の実施の形態の情報配信サーバにおけるコンテンツ登録情報の一例を示す図
【図７】本発明の実施の形態の情報配信サーバにおけるユーザ情報の一例を示す図
【図８】本発明の実施の形態の情報端末から送信されるユーザ情報更新要求メッセージの一例を示す図
【図９】本発明の実施の形態の情報端末におけるユーザ嗜好情報の一例を示す図
【符号の説明】
【００５１】
１０１  情報送受信部
１０２  属性情報抽出部
１０３  ユーザ情報生成部
１０４  情報記憶部
１０５  履歴情報処理部
１０６  アクセス判定処理部
３００  情報配信サーバ
３０１〜３０３  情報端末
３１１〜３１３  情報提供サーバ
３２１〜３２３  基地局
３５０  情報提供システム
４０１  配信要求受付部
４０２  情報記憶部
４０３  情報検索部
４０４  情報送信部
４０５  ユーザ情報処理部
【図１】
2006202101.tif 000003
【図２】
2006202101.tif 000004
【図３】
2006202101.tif 000005
【図４】
2006202101.tif 000006
【図５】
2006202101.tif 000007
【図６】
2006202101.tif 000008
【図７】
2006202101.tif 000009
【図８】
2006202101.tif 000010
【図９】
2006202101.tif 000011